(57)【要約】【課題】  色域が拡張された標準色空間をうまく利用して所望の色再現を得ることを可能にする。【解決手段】  標準的色空間により符号化された画像データの色と階調の情報を再現するための情報として、上記画像データの色と階調の表現がどのような状態に調整されているかの状態を示す情報が特定の符号により付された上記画像データのファイルを画像ファイル読込み部５１により読み込み、判断部５２は、ファイルヘッダブロック内のヘッダ情報に基づき、適当なイメージブロックの画像データを選択し、また適当な補正処理を選択し、補正処理部５３により、画像データに補正処理を施し、その結果をメモリ（ＲＡＭ）に一時的に保持する。モニター表示部５５は、補正結果の画像データを表示する処理を行う。 プリンタ出力部５６は、補正結果の画像データをプリンタドライバヘ出力して印刷するための処理を行う。【選択図】        図７
2006180477.tif 000002
【特許請求の範囲】
【請求項１】
標準的色空間により符号化された画像データの色と階調の情報を再現するための情報として、上記画像データの色と階調の表現がどのような状態に調整されているかの状態を示す情報を特定の符号により上記画像データに付し、上記特定の符号による情報を付した画像データを伝達することを特徴とする画像情報伝達方法。
【請求項２】
上記記画像データの色と階調の表現内容を説明する情報を特定の符号により上記画像データに付すことを特徴とする請求項１記載の画像情報伝達方法。
【請求項３】
上記画像データの色と階調の表現を調整した際の調整内容を示すパラメータを特定の符号により上記画像データに付すことを特徴とする請求項１記載の画像情報伝達方法。
【請求項４】
標準的色空間により符号化された画像データとともに色と階調の調整状態を示す符号が付されたデータファイルに、同一の表現内容に対して色と階調の調整状態が異なる別のデータファイルを参照可能にする位置情報を付すことを特徴とする請求項１乃至請求項３のいずれか１項に記載の画像情報伝達方法。
【請求項５】
同一の表現内容に対して、色と階調の調整状態が異なる複数の画像データと、各画像データの調整状態を指す特定の符号とを、一つのデータファイルに収めることを特徴とする請求項１乃至請求項３のいずれか１項に記載の画像情報伝達方法。
【請求項６】
標準的色空間により符号化された画像データを収めたデータファイルが、同一の表現内容に対して色と階調の調整状態が異なり複数存在する場合に、それぞれの調整状態と対応する画像データファイルを参照可能にする位置情報を収めた管理用データファイルを持つことを特徴とする画像情報伝達方法。
【請求項７】
画像データの色と階調の表現内容を説明する情報を特定の符号により上記管理用データファイルに付すことを特徴とする請求項６記載の画像情報伝達方法。
【請求項８】
標準的色空間により符号化された画像データの色と階調の情報を再現するための情報として、上記画像データの色と階調の表現がどのような状態に調整されているかの状態を示す情報が特定の符号により付された上記画像データが供給される画像情報処理装置であって、上記画像データに上記特定の符号により付された情報を参照して、上記画像データに調整処理を施すことにより、上記画像データの色と階調の情報を再現する調整処理手段を備えることを特徴とする画像情報処理装置。
【請求項９】
上記記画像データの色と階調の表現内容を説明する情報が特定の符号により付された上記画像データが供給され、上記調整処理手段は、上記画像データに上記特定の符号により付された上記記画像データの色と階調の表現内容を説明する情報に基づいて、上記画像データに調整処理を施すことを特徴とする請求項８に記載の画像情報処理装置。
【請求項１０】
上記画像データの色と階調の表現を調整した際の調整内容を示すパラメータが特定の符号により付された上記画像データが供給され、上記調整処理手段は、上記画像データに上記特定の符号により付された上記画像データの色と階調の表現を調整した際の調整内容を示すパラメータに基づいて、上記画像データに調整処理を施すことを特徴とする請求項８に記載の画像情報処理装置。
【請求項１１】
上記調整処理手段は、画像データが調整された際の調整内容を示すパラメータに基づいて調整前の状態に画像データを戻す調整処理を施すことを特徴とする請求項１０に記載の画像情報処理装置。
【請求項１２】
標準的色空間により符号化された画像データとともに色と階調の調整状態を示す符号が付されたデータファイルに、同一の表現内容に対して色と階調の調整状態が異なる別のデータファイルを参照可能にする位置情報が付された上記画像データが供給され、上記調整処理手段は、上記画像データに付された位置情報に基づいてデータファイルを参照して、上記画像データに調整処理を施すことを特徴とする請求項８乃至請求項１０のいずれか１項に記載の画像情報処理装置。
【請求項１３】
上記調整処理手段は、画像の用途を示す情報に基づいて上記用途に応じた色と階調の表現で再現するために調整処理を施すことを特徴とする請求項１２に記載の画像情報処理装置。
【請求項１４】
上記調整処理手段は、画像データが調整された際の調整内容を示すパラメータに基づいて調整前の状態に画像データを戻す調整処理を施すことを特徴とする請求項１２に記載の画像情報処理装置。
【請求項１５】
上記調整処理手段は、画像の用途を示す情報に基づいて上記用途に応じた色と階調の表現で再現するために調整処理を施すことを特徴とする請求項１４に記載の画像情報処理装置。
【請求項１６】
同一の表現内容に対して、色と階調の調整状態が異なる複数の画像データと、各画像データの調整状態を指す特定の符号とが、収められた一つのデータファイルが供給され、上記調整処理手段は、上記データファイル内の画像データを特定して調整処理を施すことを特徴とする請求項８乃至請求項１０のいずれか１項に記載の画像情報処理装置。
【請求項１７】
上記調整処理手段は、画像の用途を示す情報に基づいて上記用途に応じた色と階調の表現で再現するために調整処理を施すことを特徴とする請求項１６に記載の画像情報処理装置。
【請求項１８】
上記調整処理手段は、画像データが調整された際の調整内容を示すパラメータに基づいて調整前の状態に画像データを戻す調整処理を施すことを特徴とする請求項１６に記載の画像情報処理装置。
【請求項１９】
上記調整処理手段は、画像の用途を示す情報に基づいて上記用途に応じた色と階調の表現で再現するために調整処理を施すことを特徴とする請求項１８に記載の画像情報処理装置。
【請求項２０】
標準的色空間により符号化された画像データを収めたデータファイルが、同一の表現内容に対して色と階調の調整状態が異なり複数存在する場合に、それぞれの調整状態と対応する画像データファイルを参照可能にする位置情報を収めた管理用データファイルが供給される画像情報処理装置であって、上記管理用データファイルに納められた位置情報に基づいて画像データファイルを参照して、画像データに調整処理を施すことにより、上記画像データの色と階調の情報を再現する調整処理手段を備えることを特徴とする画像情報処理装置。
【請求項２１】
上記調整処理手段は、画像データが調整された際の調整内容を示すパラメータに基づいて調整前の状態に画像データを戻す調整処理を施すことを特徴とする請求項２０に記載の画像情報処理装置。
【請求項２２】
上記調整処理手段は、上記管理用データファイルに特定の符号により付された画像データの色と階調の表現内容を説明する情報に基づいて、上記画像データに調整処理を施すことを特徴とする請求項２０に記載の画像情報処理装置。
【請求項２３】
上記調整処理手段は、画像の用途を示す情報に基づいて上記用途に応じた色と階調の表現で再現するために調整処理を施すことを特徴とする請求項２０乃至請求項２２のいずれか１項に記載の画像情報処理装置。
【発明の詳細な説明】
【技術分野】
【０００１】
本発明は、カラー画像を出力するための画像信号処理方法及び画像信号処理装置に関する。
【背景技術】
【０００２】
画像データは作成される段階から何らかの用途で表示・出力されて視覚的な情報に至るまでの系（以下、色再現系と呼ぶ）では、色や階調を表現する信号に加工を施すが、その系は一つの装置の中で完結する場合以外は複数のプロセスに分散しており、最終的に色や階調が所望の状態で再現されるためには、分散したプロセスの各インターフェイスにおける信号の表現に対して共通の解釈が必要である。そのため各種信号の符号化や扱い方について、学会や業界団体などによる標準化が行われている。特に色空間の仕様については、国際照明委員会（ＣＩＥ）による標準観測者の等色関数を規定したＣＩＥ １９３１ ｓｔａｎｄａｒｄｃｏｌｏｒｉｍｅｔｒｉｃ ｓｙｓｔｅｍをベースに測色的な数値基準に基づいた各種色空間やそれらの符号化の定義も標準化されてきている。
【０００３】
それらの標準に基づいて信号を伝達すれば測色的に所望の色を再現するというカラーマッチングが可能になるわけだが、入出力機器の特性や符号化の制限によって必ずしも正確に再現できない色も存在する。そこで、色域圧縮などの手法によって特定の出力機器が再現できない色を色域内の近似色にマップしたり、それに合わせて色域内の色も調整が施されることによって、色の見えを一致させたり、より好ましく見える色再現のための補正処理が行われる。
【０００４】
【特許文献１】特開平９−３２２００９号公報
【特許文献２】特開２００１−１５７０６９号公報
【特許文献３】特開平１０−２２４６４３号公報
【特許文献４】特開２００１−３０９２９６号公報
【特許文献５】特開平４−１８８９５４号公報
【発明の開示】
【発明が解決しようとする課題】
【０００５】
ところで、例えばｓＲＧＢ色空間［ＩＥＣ６１９６６−２．１］は、そのままパーソナルコンピュータのモニターへ出力すれば信号値が意図した色にそれなりに近く再現されるという扱い易さからデファクトスタンダードとして普及しており、デジタルスチルカメラ用画像ファイルの規格として多くのメーカが準拠しているＤＣＦ Ｖｅｒｓｉｏｎ１．０［ＪＥＩＤＡ−４９−２−１９９８］でもｓＲＧＢ色空間による色の表現で画像データへ記録することが定義されている。ただしｓＲＧＢ色空間は標準的なパーソナルコンピュータのモニターのガンマ特性や色域をターゲットにしているためモニター向けに画造りする際にはできるだけｓＲＧＢ色域外の色を発生させない方がよいのに対して、通常はデジタルスチルカメラで撮像した画像は画造りのプロセスを経てＹＣＣ（輝度色度分離色空間）にて保存される場合が多く、この処理を行う際には色域という概念がなく、ｓＲＧＢ色域外の色（ＹＣＣ）が発生している。一方、各種カラープリンタの色域はｓＲＧＢ（モニター）とは異なり、一般にその色域は暗い領域でモニターのそれを上回るが、明るい領域では下回っている。したがってカラープリンタ出力が前提である場合は、その色域を考慮して画造りの処理を行った方がよい。このようにデジタルスチルカメラのようなアプリケーションでは、出力が多種多様となると、ある機器を想定されて画造りされた画像を他の機器で出した場合は領域によっては階調潰れ等々が発生してしまう。
【０００６】
また、入力機器が存在せずコンピュータグラフィックスにより仮想的な三次元のシーンを表現する場合にも、シーンの物理的な光の強度に比例する値でレンダリング処理が施されて画像データが生成されるが、ターゲットとするモニター表示に合わせて色や階調が調整された結果を表示デバイスに依存したＲＧＢ空間による符号化で画像データとして記録されることが多く、例えばデジタル映写機など別の表示デバイスで色域や階調特性を十分に生かすための補正を行うとなると、一旦符号化されたデータからオリジナルの表現を再現することが難しかった。
【０００７】
そのような背景から、ｓＲＧＢ色空間が定義した標準的モニター特性や観察環境により符号化された信号の扱い易さを残しつつも、表現できる色域やビット深度を拡張して人間が知覚可能な範囲や各種出力デバイスの表現範囲をカバーした色空間や、物理的な光の強度に１対１で対応する階調特性を持たせて、よりシーンに忠実な信号を記録できる色空間などが新たに標準化されつつある。それらの中でも、より出力できる状態に近い表現（Ｏｕｔｐｕｔ−ｒｅａｄｙ）での符号化に有利なｓＲＧＢ色空間を拡張したもの（例えば、ＩＥＣ６１９６６−２．１ＡｎｎｅｘＧ／ＡｎｎｅｘＦ）等がある。
【０００８】
上述の如き従来の実状に鑑み、本発明の目的は、色域が拡張された標準色空間をうまく利用して所望の色再現を得ることを可能にすることにある。
【０００９】
また、本発明の他の目的は、出力デバイスや用途が判明した時点で適切な画造りを行うことができるようにすることにある。
【００１０】
また、本発明の他の目的は、効率よくベストな補正結果を得ることができるようにすることにある。
【００１１】
さらに、本発明の他の目的は、異なる機器向けに画造りされた画像データが複数保存されている場合に、出力しようとする機器や目的に最も近い状態のデータを選択するだけで必ずしも新たな調整を施すことなく適切な出力を行うことができるようにすることにある。
【課題を解決するための手段】
【００１２】
本発明では、各機器向けに画造りされた画像を同時に保存する。また、シーン参照空間で画像を保存して出力機器で画造りを行う。
【００１３】
さらには既存技術も含めて次のような点を考慮した仕組みを構築することにより、本発明はより効果的となる。
【００１４】
適当な画像フォーマットや色空間を利用した画像データやそれを収めた特定の記憶媒体であれば、ユーザがその素性を把握できる範囲で扱う場合には、適当な調整指示を行うことで望ましい色再現結果を得ることができる。また、これまでは、特定の画像フォーマットや色空間で符号化された画像データの素性（状態）や用途が限定されている場合がほとんどで、画像入出力機器やアプリケーションソフトの補正処理モジュールがそれらをある程度想定して自動的な判断による調整処理を行うことで望ましい色再現結果が得えられる場合もある。ところが、これからのブロードバンドと呼ばれる情報環境においては、１つの機器やアプリケーションソフトであっても多様なコンテンツ、多様な入力機器からのソース、多様な出力機器への出力、多様な出力用途が想定され、一様な想定の上での判断で最適な調整処理を実現することが難しくなってくる。また、前述のように多目的の拡張色空間やそれらの複数の色空間を選択可能なフォーマット（例えばＪＰＥＧ２０００［ＩＴＵ−Ｔ Ｒｅｃ．Ｔ．８０１］）が標準化されつつあり、特定の画像フォーマットや色空間のデータといえども、ユーザ、コンテンツ制作者、機器などが期待する表現意図が多様に混在することになる。また、その中に存在する画像データ自体が、伝達される過程でどのような目的の補正がどの程度施されたのかという状態を特定することが難しい。したがって、ユーザが正しく扱って望ましい色再現結果を得るには注意するべき点が多くてユーザによる管理が難しくなったり、若しくは自動的に動作するハードやソフトでの補正処理が複数のプロセスで過剰に重複して適用される可能性も出てくるであろう。そのような状況において新たな標準色空間をうまく利用して所望の色再現を得るには、適切に状態を把握して目的に合った適切な調整処理を施す使い方が求められる。
【００１５】
画像の色や階調の表現を適切に補正する処理は多様であるが、一般に次のような情報のいずれかに基づいて行われる。
【００１６】
コンテンツの表現対象：人物、風景、実在する物体、抽象的物体などコンテンツの制作環境：撮影した電子写真、３次元ＣＧ、２次元イラストなど符号化特性：表現可能な色域、階調カーブ、ビット深度など入力機器特性：ノイズ、ダイナミックレンジ、分光感度、光源など出力機器特性：再現可能な色域、階調カーブなど出力アプリケーションの意図：きれいに、実物に忠実に、制作結果に忠実に、などこのうち、入力機器や出力機器の特性については、ＣＩＥＸＹＺやＣＩＥＬＡＢなどのデバイスに依存しない色空間やＣＩＥＣＡＭ９７ｓなどの色の見えを表す空間で符号化されている場合には必要とせず、また、デバイスに依存する色空間であればＩＣＣ(International Color Consortium)で規格化されているようなデバイスプロファイルを参照することが可能であり、若しくは、ｓＲＧＢ色空間のように符号化の仕様の中で特定の定義がされていればよい。出力アプリケーションの意図については、調整処理を施すモジュール自身が独自の判断や取得方法で行うのが適当である。コンテンツの表現対象や制作環境の情報については、既に規格化された一部の画像フォーマットでは、ヘッダ部などに符号化して記録できるものもあり、特許も幾つか出願されているが、そのような方法が望ましい。符号化特性については、画像フォーマットの仕様から判断できる。しかし、既に符号化された画像データに何かしらの調整が施されていることが多く、それがどのような状態にあるのか（調整されてないのか？、調整された場合は何を対象にしたのか？）という情報が明らかであることや、同一のコンテンツに対して別の調整状態の画像データを使用したい場合にはそれが存在するのかどうかまたその参照先を把握できないことが、画像データを有効に利用するための課題として残る。
【００１７】
上記課題を解決する本発明に係る画像情報伝達方法は、標準的色空間により符号化された画像データの色と階調の情報を再現するための情報として、上記画像データの色と階調の表現がどのような状態に調整されているかの状態を示す情報を特定の符号により上記画像データに付し、上記特定の符号による情報を付した画像データを伝達することを特徴とする。
【００１８】
本発明に係る画像情報伝達方法では、上記記画像データの色と階調の表現内容を説明する情報を特定の符号により上記画像データに付すようにしてもよい。
【００１９】
また、本発明に係る画像情報伝達方法では、上記画像データの色と階調の表現を調整した際の調整内容を示すパラメータを特定の符号により上記画像データに付すようにしてもよい。
【００２０】
また、本発明に係る画像情報伝達方法では、標準的色空間により符号化された画像データとともに、色と階調の調整状態を示す符号が付されたデータファイルに、同一の表現内容に対して色と階調の調整状態が異なる別のデータファイルを参照可能にする位置情報を付すようにしてもよい。
【００２１】
さらに、本発明に係る画像情報伝達方法では、同一の表現内容に対して、色と階調の調整状態が異なる複数の画像データと、各画像データの調整状態を指す特定の符号とを、一つのデータファイルに収めるようにしてもよい。
【００２２】
本発明に係る画像情報伝達方法は、標準的色空間により符号化された画像データを収めたデータファイルが、同一の表現内容に対して色と階調の調整状態が異なり複数存在する場合に、それぞれの調整状態と対応する画像データファイルを参照可能にする位置情報を収めた管理用データファイルを持つことを特徴とする。
【００２３】
本発明に係る画像情報伝達方法では、画像データの色と階調の表現内容を説明する情報を特定の符号により上記管理用データファイルに付すようにしてもよい。
【００２４】
本発明は、標準的色空間により符号化された画像データの色と階調の情報を再現するための情報として、上記画像データの色と階調の表現がどのような状態に調整されているかの状態を示す情報が特定の符号により付された上記画像データが供給される画像情報処理装置であって、上記画像データに上記特定の符号により付された情報を参照して、上記画像データに調整処理を施すことにより、上記画像データの色と階調の情報を再現する調整処理手段を備えることを特徴とする。
【００２５】
本発明に係る画像情報処理装置は、上記記画像データの色と階調の表現内容を説明する情報が特定の符号により付された上記画像データが供給され、上記調整処理手段により、上記画像データに上記特定の符号により付された上記記画像データの色と階調の表現内容を説明する情報に基づいて、上記画像データに調整処理を施すことようにしてもよい。
【００２６】
また、本発明に係る画像情報報処理装置は、上記画像データの色と階調の表現を調整した際の調整内容を示すパラメータが特定の符号により付された上記画像データが供給され、上記調整処理手段により、上記画像データに上記特定の符号により付された上記画像データの色と階調の表現を調整した際の調整内容を示すパラメータに基づいて、上記画像データに調整処理を施すようにしてもよい。
【００２７】
また、本発明に係る画像情報処理装置は、上記調整処理手段により、画像データが調整された際の調整内容を示すパラメータに基づいて調整前の状態に画像データを戻す調整処理を施すようにしてもよい。
【００２８】
また、本発明に係る画像情報処理装置は、標準的色空間により符号化された画像データとともに、色と階調の調整状態を示す符号が付されたデータファイルに、同一の表現内容に対して色と階調の調整状態が異なる別のデータファイルを参照可能にする位置情報が付された上記画像データが供給され、上記調整処理手段は、上記画像データに付された位置情報に基づいてデータファイルを参照して、上記画像データに調整処理を施すようにしてもよい。
【００２９】
また、本発明に係る画像情報処理装置は、上記調整処理手段により、画像の用途を示す情報に基づいて上記用途に応じた色と階調の表現で再現するために調整処理を施すようにしてもよい。
【００３０】
また、本発明に係る画像情報処理装置は、上記調整処理手段により、画像データが調整された際の調整内容を示すパラメータに基づいて調整前の状態に画像データを戻す調整処理を施すようにしてもよい。
【００３１】
また、本発明に係る画像情報処理装置は、上記調整処理手段により、画像の用途を示す情報に基づいて上記用途に応じた色と階調の表現で再現するために調整処理を施すようにしてもよい。
【００３２】
また、本発明に係る画像情報処理装置は、同一の表現内容に対して、色と階調の調整状態が異なる複数の画像データと、各画像データの調整状態を指す特定の符号とが、収められた一つのデータファイルが供給され、上記調整処理手段により、上記データファイル内の画像データを特定して調整処理を施すようにしてもよい。
【００３３】
また、本発明に係る画像情報処理装置は、上記調整処理手段により、画像の用途を示す情報に基づいて上記用途に応じた色と階調の表現で再現するために調整処理を施すようにしてもよい。
【００３４】
また、本発明に係る画像情報処理装置は、上記調整処理手段により、画像データが調整された際の調整内容を示すパラメータに基づいて調整前の状態に画像データを戻す調整処理を施すようにしてもよい。
【００３５】
さらに、本発明に係る画像情報処理装置は、上記調整処理手段により、画像の用途を示す情報に基づいて上記用途に応じた色と階調の表現で再現するために調整処理を施すようにしてもよい。
【００３６】
本発明は、標準的色空間により符号化された画像データを収めたデータファイルが、同一の表現内容に対して色と階調の調整状態が異なり複数存在する場合に、それぞれの調整状態と対応する画像データファイルを参照可能にする位置情報を収めた管理用データファイルが供給される画像情報処理装置であって、上記管理用データファイルに納められた位置情報に基づいて画像データファイルを参照して、画像データに調整処理を施すことにより、上記画像データの色と階調の情報を再現する調整処理手段を備えることを特徴とする。
【００３７】
本発明に係る画像情報処理装置は、上記調整処理手段により、画像データが調整された際の調整内容を示すパラメータに基づいて調整前の状態に画像データを戻す調整処理を施すようにしてもよい。
【００３８】
また、本発明に係る画像情報処理装置は、上記調整処理手段により、上記管理用データファイルに特定の符号により付された画像データの色と階調の表現内容を説明する情報に基づいて、上記画像データに調整処理を施すようにしてもよい。
【００３９】
さらに、本発明に係る画像情報処理装置は、上記調整処理手段により、画像の用途を示す情報に基づいて上記用途に応じた色と階調の表現で再現するために調整処理を施すことようにしてもよい。
【発明の効果】
【００４０】
本発明によれば、同じ表現対象（コンテンツ）の画像データであっても、適切にその符号化と調整の状態を把握することによって、多様な出力機器の色・階調の再現特性や利用形態に合わせて、どのような補正処理を適用するべきかという判断を同じファイル内の情報に基づいて行うことができ、同じ色空間で符号化された画像データであっても色再現性を高めることができ、色域が拡張された標準色空間をうまく利用して所望の色再現を得ることが可能になる。
【００４１】
また、本発明では、保存されている画像データが、特定のデバイスに合わせて調整されておらず、よりシーンに近い表現で記録されていること判断できれば、出力デバイスや用途が判明した時点で適切な画造りを行うことが可能である。
【００４２】
また、本発明では、同一のコンテンツに対して既に符号化された画像データに何かしらの調整が施されている可能性がある場合に、別の調整状態の画像データを使用したい場合にはそれが存在するのかどうかまたその参照先を把握できるため、目的に最も近い状態のデータを読み出して利用することで効率よくベストな補正結果を得ることができる。
【００４３】
さらに、本発明では、異なる機器向けに画造りされた画像データが複数保存されている場合には、それぞれがどのような機器に対して調整されたのかを判別できることによって、出力しようとする機器や目的に最も近い状態のデータを選択するだけで必ずしも新たな調整を施すことなく適切な出力を行うことができる。
【発明を実施するための最良の形態】
【００４４】
以下、本発明の実施の形態について図面を参照して詳細に説明する。
【００４５】
本発明では、例えば図１に示すようなファイルフォーマットによって画像データをファイルに記録する。
【００４６】
すなわち、ファイルフォーマットは、一つのヘッダブロックＨＢと一つ以上のイメージブロックＩＢ１，ＩＢ２・・・とから構成される。
【００４７】
ヘッダブロックＨＢには、ヘッダブロックサイズＨＢＳ、コンテンツ作成環境ＣＰＥ、コンテンツ表現対象ＣＥＯ、イメージブロック数ＩＢＮ、イメージステートメントＩＳＴ、横画素数ＨＳＮ、縦画素数ＶＳＮ、カラースペースＣＳ、オフセットアドレスＯＦＡが記録される。
【００４８】
すなわち、ヘッダブロックＨＢには、画像データが表現するコンテンツに関する情報として、次の表１の制作環境を示す符号（Ｃｏｄｅ０〜６）ＣＰＥと次の表２の表現対象を示す符号（Ｃｏｄｅ０〜７）ＣＥＯが記録される。
【００４９】
【表１】
2006180477.tif 000003
【００５０】
【表２】
2006180477.tif 000004
【００５１】
また、各イメージブロックについて、次の表３の画像データの調整状態を示す符号、次の表４の色空間（Color Space）を示す符号（Ｃｏｄｅ０〜１２）ＣＳ、縦横の画素数ＨＳＮ，ＶＳＮ、イメージブロック先頭のオフセットアドレスＯＦＡを記録する。
【００５２】
【表３】
2006180477.tif 000005
【００５３】
【表４】
2006180477.tif 000006
【００５４】
表３においてイメージステートメントＩＳＴとして調整状態を示す２つの符号のうちＭａｉｎとする方が０〜３では、表現するシーンを参照した状態（Scene Referred State）を指し、光の物理的強度に対して線形な値、若しくはそれに１対１に対応する特定の可逆関数で変換された値で画像データが符号化されている。一方４〜７では、出力するように調整された状態（Output Ready State）を指し、特定のデバイスの再現特性に合わせて調整された値で符号化されている。
【００５５】
各イメージブロックＩＢ１，ＩＢ２・・・には、左上から右下への点順次のＲＡＷ形式で特定の色空間で符号化された画像データが並んで記録される。
【００５６】
ここでは、図２に示すような画像データが作成されてから表示・出力されて利用される多様なフローを含んだ画像処理系１０を想定する。この画像処理系１０は、デジタルスチルカメラ、ビデオカメラやイメージスキャナ等の画像読み取り装置１を介して入力される被写体や原稿などの画像データ、ＣＧ作成装置２により作成される表現対象のＣＧ画像データ、上記画像データやＣＧ画像データから画像編集装置３により編集された画像データなどがネットワークや記録媒体等のデータ伝送系４を介してアプリケーション５に供給され、このアプリケーション５から出力デバイス６を介してプリンタ出力、モニター出力、テレビ出力やスクリーン出力等の各種出力を得るようになっている。
【００５７】
この画像処理系１０の中では、どの部位においても、何らかの目的の調整処理が施される可能性が高いが、その中でアプリケーション５と記した部分が行う調整処理において図１に示したファイルフォーマットを利用する例について説明する。
【００５８】
図２中のアプリケーション５とはユーザが何の用途にどのデバイスに出力・表示するのかが判っており、それらの情報と上記フォーマットのファイル内の情報から上記フォーマットのファイル内の画像データに適切な補正処理を施す画像処理装置内のモジュールであり、ここでは、パーソナルコンピュータ上で動作するソフトウエアとする。
【００５９】
アプリケーションソフトは、ユーザが上記フォーマットのファイルを開いて画面上に表示するように指示があったと判定した場合に、図３のフローチャートに示す手順に従って、色と階調を適切に補正する処理を行う。
【００６０】
すなわち、ステップＳ１では、ヘッダブロックＨＢより、イメージステートＩＳＴ［４−ｘ］の画像ブロックを検出した否かを判定する。ここで、イメージステートＩＳＴ［４−ｘ］は、上記表３に示したように、調整時にターゲットとしたデバイスがパーソナルコンピュータ用モニターであることを表している。
【００６１】
このステップＳ１における判定結果がＹＥＳすなわちイメージステートＩＳＴ［４−ｘ］の画像ブロックを検出した場合には次のステップＳ２に進む。また、上記ステップＳ１における判定結果がＮＯの場合にはステップＳ４に進む。
【００６２】
ステップＳ２では、該当ブロックのオフセットアドレスＯＦＡにより画像データを読み込む。
【００６３】
次のステップＳ３では、ヘッダブロックＨＢより、色空間を示す符号ＣＳが［３］であるか否かを判定する。ここで、上記色空間を示す符号ＣＳ［３］は、上記表４に示したように、ＩＥＣ６１９６６−２．１で定義されているｓＲＧＢ（８ｂｉｔ）空間であることを表している。
【００６４】
このステップＳ３における判定結果がＹＥＳすなわち色空間を示す符号ＣＳが［３］である場合にはステップＳ１６に進む。また、上記ステップＳ３における判定結果がＮＯの場合にはステップＳ１５に進む。
【００６５】
また、ステップＳ４では、ヘッダブロックＨＢより、イメージステートＩＳＴが［３−０］又は［２−０］の画像ブロックを検出した否かを判定する。ここで、上記表３に示したように、上記イメージステートＩＳＴ［３−０］は、特定のデバイスに依存せず視覚的色域内で意図的に調整された値であることを表している。また、上記イメージステートＩＳＴ［２−０］は、ホワイトバランス、特定のセンサ空間への線形マトリクス変換などの調整済みの値であることを表している。
【００６６】
このステップＳ４における判定結果がＹＥＳすなわちイメージステートＩＳＴが［３−０］又は［２−０］の画像ブロックを検出した場合には次のステップＳ５に進む。また、上記ステップＳ１における判定結果がＮＯの場合にはステップＳ６に進む。
【００６７】
ステップＳ５では、該当ブロックのオフセットアドレスＯＦＡより画像データを読み込み、その後ステップＳ１０に進む。
【００６８】
また、ステップＳ６では、ヘッダブロックＨＢより、イメージステートＩＳＴが［１−０］の画像ブロックを検出した否かを判定する。ここで、イメージステートＩＳＴ［１−０］は、上記表３に示したように、イメージセンサで取得された信号で、ノイズカット程度の処理は施されている可能性がある値であることを表している。
【００６９】
このステップＳ６における判定結果がＹＥＳすなわちイメージステートＩＳＴが［１−０］画像ブロックを検出した場合には次のステップＳ７に進む。また、上記ステップＳ６における判定結果がＮＯの場合にはステップＳ１１に進む。
【００７０】
ステップＳ７では、該当ブロックのオフセットアドレスより画像データを読み込む。
【００７１】
次のステップＳ８では、ヒストグラムを生成し ホワイトポイントを特定する。
【００７２】
次のステップＳ９では、リニア空間においてホワイトバランス補正を行い、その結果をＩＥＣ６１９６６−２．２で定義されているｓｃＲＧＢ（１６ｂｉｔ）空間へ変換する。なお、この色空間は、上記表３に示した色空間を示す符号ＣＳ［７］で表される。
【００７３】
そして、次のステップＳ１０では、色空間を示す符号ＣＳ［３］で表される色空間の色域外の値に色域圧縮処理を行い、その後ステップＳ１５に進む。
【００７４】
また、ステップＳ１１では、ヘッダブロックＨＢより、上記表３に示したイメージステートＩＳＴが［５−０］以上の画像ブロックを検出した否かを判定する。
【００７５】
このステップＳ１１における判定結果がＹＥＳすなわちヘッダブロックよりイメージステート５−０の画像ブロックを検出した場合には次のステップＳ１２に進む。また、上記ステップＳ１における判定結果がＮＯの場合にはステップＳ１４に進む。
【００７６】
ステップＳ１２では、該当ブロックのオフセットアドレスＯＦＡより画像データを読み込む。
【００７７】
次のステップＳ１３では、イメージステートＩＳＴが指すデバイスの色域内の全ての値を上記色空間を示す符号ＣＳ［３］に対応するＩＥＣ６１９６６−２．１で定義されているｓＲＧＢ（８ｂｉｔ）空間の色域内へマップし、その後ステップＳ１５に進む。
【００７８】
また、ステップＳ１４では、エラーメッセージの表示を指示する。
【００７９】
さらに、ステップＳ１５では、色空間を上記色空間を示す符号ＣＳ［３］に対応するｓＲＧＢ（８ｂｉｔ）空間へ変換し、このｓＲＧＢ（８ｂｉｔ）空間の色域外の値は符号化時にクリップする。
【００８０】
そして、次のステップＳ１６では、モニターへ画像表示を指示する。
【００８１】
また、上記アプリケーションソフトは、画面上に表示しているファイルの画像内容に対して、ユーザより鑑賞を意図してカラープリンタヘ出力する指示があったと判定した場合に、図４に示すフローチャートに従った手順で色と階調を自動的に適切に補正する処理を行う。
【００８２】
すなわち、ステップＳ２１では、ヘッダブロックＨＢよりイメージステートＩＳＴが［６−ｘ］の画像ブロックを検出した否かを判定する。ここで、イメージステートＩＳＴ［６−ｘ］は、上記表３に示したように各種カラープリンタヘの出力を表している。
【００８３】
このステップＳ２１における判定結果がＹＥＳすなわちイメージステートＩＳＴ［６−ｘ］の画像ブロックを検出した場合には次のステップＳ２２に進む。また、上記ステップＳ２１における判定結果がＮＯの場合にはステップＳ２４に進む。
【００８４】
ステップＳ２２では、該当ブロックのオフセットアドレスＯＦＡより画像データを読み込む。
【００８５】
次のステップＳ２３では、色空間がプリンタ入力の符号と同じか否かを判定する。
【００８６】
このステップＳ２３における判定結果がＹＥＳすなわち色空間がプリンタ入力の色空間が符号と同じ場合には次のステップＳ３６に進む。また、上記ステップＳ２３における判定結果がＮＯの場合にはステップＳ３５に進む。
【００８７】
ステップＳ２４では、ヘッダブロックＨＢより、イメージステートＩＳＴが［３−０］又は［２−０］の画像ブロックを検出した否かを判定する。ここで、上記イメージステートＩＳＴ［３−０］は、特定のデバイスに依存せず視覚的色域内で意図的に調整された値であることを表している。また、上記イメージステートＩＳＴ［２−０］は、ホワイトバランス、特定のセンサ空間への線形マトリクス変換などの調整済みの値であることを表している。
【００８８】
このステップＳ２４における判定結果がＹＥＳすなわちイメージステートＩＳＴが［３−０］又は［２−０］の画像ブロックを検出した場合には次のステップＳ２５に進む。また、上記ステップＳ２１における判定結果がＮＯの場合にはステップＳ２６に進む。
【００８９】
ステップＳ２５では、該当ブロックのオフセットアドレスＯＦＡにより画像データを読み込む。
【００９０】
また、ステップＳ２６では、ヘッダブロックＨＢより、イメージステートＩＳＴが［１−０］の画像ブロックを検出した否かを判定する。ここで、イメージステートＩＳＴ［１−０］は、イメージセンサで取得された信号で、ノイズカット程度の処理は施されている可能性がある値であることを表している。
【００９１】
このステップＳ２６における判定結果がＹＥＳすなわちイメージステートＩＳＴが［１−０］の画像ブロックを検出した場合には次のステップＳ２７に進む。また、上記ステップＳ２６における判定結果がＮＯの場合にはステップＳ３１に進む。
【００９２】
ステップＳ２７では、該当ブロックのオフセットアドレスＯＦＡより画像データを読み込む。
【００９３】
次のステップＳ２８では、ヒストグラムを生成しホワイトポイントを特定する。
【００９４】
さらに、次のステップＳ２９では、リニア空間においてホワイトバランス補正を行い、その結果をＩＥＣ６１９６６−２．２で定義されているｓｃＲＧＢ（１６ｂｉｔ）空間へ変換する。なお、この色空間は、上記表３に示した色空間を示す符号ＣＳ［７］で表される。
【００９５】
そして、次のステップＳ３０では、プリンタの色域外の値に色域圧縮処理を行い、その後ステップＳ３５に進む。
【００９６】
また、ステップＳ３１では、ヘッダブロックＨＢより、イメージステートＩＳＴが［４−０］以上の画像ブロックを検出した否かを判定する。
【００９７】
このステップＳ３１における判定結果がＹＥＳすなわちイメージステートＩＳＴが［４−０］以上の画像ブロックを検出した場合には次のステップＳ３２に進む。また、上記ステップＳ３１における判定結果がＮＯの場合にはステップＳ３４に進む。
【００９８】
ステップＳ３２では、該当ブロックのオフセットアドレスＯＦＡより画像データを読み込む。
【００９９】
次のステップＳ３３では、イメージステートＩＳＴが指すデバイスの色域内の全ての値をプリンタの色域内へマップし、その後ステップＳ３５に進む。
【０１００】
また、ステップＳ３４では、エラーメッセージの表示を指示する。
【０１０１】
また、ステップＳ３５では、色空間をプリンタＲＧＢへ変換し、色域外の値があれば符号化時にクリップする。
【０１０２】
そして、次のステップＳ３６では、プリンタへ画像出力を指示する。
【０１０３】
ここで、上記ステップＳ１０やステップＳ３０における色域圧縮処理は、例えば特開２０００−２７８５４６号公報に記載されている色域圧縮の手法、すなわち、知覚的に均等な色空間へ変換し、圧縮前の値と色域内ヘマップした後の値とがその色空間における色差を表す値で最小となるような色差最小法を用いて行われる。
【０１０４】
この際、ヘッダブロックＨＢ内のコンテンツ表現対象ＣＥＯが［４〜６］の場合すなわち人物や風景以外の場合には、色差式における彩度の項の重みを大きくし、彩度を低下させないような色再現を行う。
【０１０５】
また、上記ステップＳ１３やステップＳ３３における色域内ヘマップでは、例えば、ヘッダブロックＨＢ内のコンテンツ制作環境ＣＰＥが［３〜４］以外の場合すなわちコンピュータグラフィックス以外には、上記色域圧縮処理を行い色域外の値のみを最小色差で色域内ヘマップする。そうでない場合には出力するデバイスＤの色域を十分に利用するため、デバイスＳの色域とデバイスＤの色域とを解析してデバイスＤの色域内外の値を適切にマップする。
【０１０６】
ここでは、図５に示すように、明度・彩度・色相の軸より成るＬＣＨ色空間において同一明度同一色相の軸上で彩度値Ｃｓを、デバイスＳの色域境界の彩度値Ｃｓ＿ｍａｘがデバイスＤの色域境界の彩度値Ｃｄ＿ｍａｘヘマップされるように、例えば次の式（１）に示す変換式にて図６に示すように彩度値Ｃｄへ変換することにより、低彩度な値は保存しながらも高彩度な値はデバイスＤの色域に合わせてマップする。
【０１０７】
Ｃｄ＝ｋ×（ｅＣｓ／ｋ−１） ・・・式（１）
ただし、ｋはＣｓ＿ｍａｘとＣｄ＿ｍａｘにより決定される係数である。
【０１０８】
なお、これと目的を同じくする手法は、例えば特開２０００−３５００５０公報や特開２００１−４３３４４公報などで示されているように、多様に考えられる。
【０１０９】
ここで、以上説明した実施の形態では、本発明は、アプリケーションソフトにより実行されるものとしたが、例えば図７のブロックに示すようなハードウエア構成の画像処理装置５０にて画像処理を実行することもできる。
【０１１０】
すなわち、この画像処理装置５０は、画像ファイル読込み部５１、判断部５２、補正処理部５３、画像ファイル書込み部５４、モニター表示部５５、プリンタ出力部５６等からなる。
【０１１１】
この画像処理装置５０において、画像ファイル読込み部５１では、図１に記したフォーマットに従ってＨＤＤ、メモリカード、デジタルカメラ等に記録された画像ファイル内のデータを読み込む。判断部５２は、ヘッダブロックＨＢ内のヘッダ情報に基づき上述の図３又は図４に示したフローチャートの手順に従って、適当なイメージブロックの画像データを選択し、また適当な補正処理を選択する。補正処理部５３では、画像データに補正処理を施し、その結果をメモリ（ＲＡＭ）に一時的に保持する。画像ファイル書込み部５４は、図１に記したフォーマットに従って、補正結果の画像データを適当なヘッダ情報とともにＨＤＤ内の画像ファイルヘ記録する。画像ファイル自体は読込んだファイルヘ追加・変更して書込んでもよいし、新規に作成したファイルヘ書込んでもよい。
【０１１２】
モニター表示部５５は、補正結果の画像データを表示する処理を行う。
【０１１３】
プリンタ出力部５６は、補正結果の画像データをプリンタドライバヘ出力して印刷するための処理を行う。
【０１１４】
なお、以上説明した本発明の実施の形態において、例えばパーソナルコンピュータ用モニターに対しては、７２ｄｐｉの固定解像度でデータを作成し、カラープリンタ用では、最高解像度を維持するなど、同一ファイル内で調整状態が異なる画像データで解像度が異なるようにしてもよい。
【０１１５】
また、調整の処理を行う画素も元の画像データすべてに行う必要はなく、例えば、上記画面上に表示するための画像データは表示する画素数だけに調整を施してもよい。
【０１１６】
また、イメージブロックに納める画像データはデータ圧縮を行った形式で記録されてもよい。圧縮に付随する情報は各イメージブロック内若しくはヘッダブロック内に記録してよい。イメージブロックにはそのような仕様の既存の画像フォーマットを利用してもよい。
【０１１７】
また、調整状態を示す符号は、調整した項目、調整した量などを定義することにより細分化してもよい。
【０１１８】
さらに、調整状態を示す符号が対象とする色・階調の調整は、独立画素に対して施されるものだけでなく、シャープネス補正など他の画素に関連して施されるものであってもよい。
【図面の簡単な説明】
【０１１９】
【図１】本発明において画像データをファイルに記録するファイルフォーマットを模式的に示す図である。
【図２】本発明を適用する画像処理系の構成を示すブロック図である。
【図３】本発明により画像データをモニターへ出力する場合に実行される色と階調を補正する処理の手順を示すフローチャートである。
【図４】本発明により画像データをカラープリンタヘ出力する場合に実行される色と階調を補正する処理の手順を示すフローチャートである。
【図５】上記補正処理におけるＬＣＨ色空間での色域変換の例を模式的に示す図である。
【図６】上記補正処理における彩度の変換例を模式的に示す図である。
【図７】本発明に係る画像処理装置のハードウエア構成例を示すブロック図である。
【符号の説明】
【０１２０】
１ 画像読み取り装置、２ ＣＧ作成装置、３ 画像編集装置、４ データ伝送系、５ アプリケーション、６ 出力デバイス、１０ 画像処理系、５０ 画像処理装置、５１ 画像ファイル読込み部、５２ 判断部、５３ 補正処理部、５４ 画像ファイル書込み部、５５ モニター表示部、５６ プリンタ出力部
【図１】
2006180477.tif 000007
【図２】
2006180477.tif 000008
【図３】
2006180477.tif 000009
【図４】
2006180477.tif 000010
【図５】
2006180477.tif 000011
【図６】
2006180477.tif 000012
【図７】
2006180477.tif 000013
【手続補正書】
【提出日】平成18年1月11日(2006.1.11)
【手続補正１】
【補正対象書類名】特許請求の範囲
【補正対象項目名】全文
【補正方法】変更
【補正の内容】
【特許請求の範囲】
【請求項１】
標準的色空間により符号化された画像データの色と階調の情報を再現するための情報として、上記画像データの色と階調の表現がどのような状態に調整されているかの状態を示す上記画像データの色と階調の表現内容を説明する情報を特定の符号により上記画像データに付し、
上記特定の符号による情報を付した画像データを伝達することを特徴とする画像情報伝達方法。
【請求項２】
上記画像データの色と階調の表現を調整した際の調整内容を示すパラメータを特定の符号により上記画像データに付すことを特徴とする請求項１記載の画像情報伝達方法。
【請求項３】
同一の表現内容に対して、色と階調の調整状態が異なる複数の画像データと、各画像データの調整状態を指す特定の符号とを、一つのデータファイルに収めることを特徴とする請求項１又は請求項２のいずれか１項に記載の画像情報伝達方法。
【請求項４】
標準的色空間により符号化された画像データの色と階調の情報を再現するための情報として、上記画像データの色と階調の表現がどのような状態に調整されているかの状態を示す情報が特定の符号により付された上記画像データが供給される画像情報処理装置であって、
上記画像データに上記特定の符号により付された情報を参照して、上記画像データに調整処理を施すことにより、上記画像データの色と階調の情報を再現する調整処理手段を備え、
上記画像データの色と階調の表現内容を説明する情報が特定の符号により付された上記画像データが供給され、上記調整処理手段は、上記画像データに上記特定の符号により付された上記画像データの色と階調の表現内容を説明する情報に基づいて、上記画像データに調整処理を施すことを特徴とする画像情報処理装置。
【請求項５】
上記画像データの色と階調の表現を調整した際の調整内容を示すパラメータが特定の符号により付された上記画像データが供給され、上記調整処理手段は、上記画像データに上記特定の符号により付された上記画像データの色と階調の表現を調整した際の調整内容を示すパラメータに基づいて、上記画像データに調整処理を施すことを特徴とする請求項４に記載の画像情報処理装置。
【請求項６】
上記調整処理手段は、画像データが調整された際の調整内容を示すパラメータに基づいて調整前の状態に画像データを戻す調整処理を施すことを特徴とする請求項５に記載の画像情報処理装置。
【請求項７】
同一の表現内容に対して、色と階調の調整状態が異なる複数の画像データと、各画像データの調整状態を指す特定の符号とが、収められた一つのデータファイルが供給され、上記調整処理手段は、上記データファイル内の画像データを特定して調整処理を施すことを特徴とする請求項４又は請求項５のいずれか１項に記載の画像情報処理装置。
【請求項８】
上記調整処理手段は、画像の用途を示す情報に基づいて上記用途に応じた色と階調の表現で再現するために調整処理を施すことを特徴とする請求項７に記載の画像情報処理装置。
【請求項９】
上記調整処理手段は、画像データが調整された際の調整内容を示すパラメータに基づいて調整前の状態に画像データを戻す調整処理を施すことを特徴とする請求項７に記載の画像情報処理装置。
【請求項１０】
上記調整処理手段は、画像の用途を示す情報に基づいて上記用途に応じた色と階調の表現で再現するために調整処理を施すことを特徴とする請求項９に記載の画像情報処理装置。
【請求項１１】
標準的色空間により符号化された画像データを収めたデータファイルが、同一の表現内容に対して色と階調の調整状態が異なり複数存在する場合に、それぞれの調整状態と対応する画像データファイルを参照可能にする位置情報を収めた管理用データファイルが供給される画像情報処理装置であって、
上記管理用データファイルに納められた位置情報に基づいて画像データファイルを参照して、画像データに調整処理を施すことにより、上記画像データの色と階調の情報を再現する調整処理手段を備え、
上記調整処理手段は、上記管理用データファイルに特定の符号により付された画像データの色と階調の表現内容を説明する情報に基づいて、上記画像データに調整処理を施すことを特徴とする画像情報処理装置。
【請求項１２】
上記調整処理手段は、画像データが調整された際の調整内容を示すパラメータに基づいて調整前の状態に画像データを戻す調整処理を施すことを特徴とする請求項１１に記載の画像情報処理装置。
【請求項１３】
上記調整処理手段は、画像の用途を示す情報に基づいて上記用途に応じた色と階調の表現で再現するために調整処理を施すことを特徴とする請求項１１又は請求項１２のいずれか１項に記載の画像情報処理装置。
【手続補正２】
【補正対象書類名】明細書
【補正対象項目名】００１７
【補正方法】変更
【補正の内容】
【００１７】
上記課題を解決する本発明に係る画像情報伝達方法は、標準的色空間により符号化された画像データの色と階調の情報を再現するための情報として、上記画像データの色と階調の表現がどのような状態に調整されているかの状態を示す上記画像データの色と階調の表現内容を説明する情報を特定の符号により上記画像データに付し、上記特定の符号による情報を付した画像データを伝達することを特徴とする。
【手続補正３】
【補正対象書類名】明細書
【補正対象項目名】００１８
【補正方法】削除
【補正の内容】
【手続補正４】
【補正対象書類名】明細書
【補正対象項目名】００２２
【補正方法】変更
【補正の内容】
【００２２】
本発明に係る画像情報伝達方法は、標準的色空間により符号化された画像データを収めたデータファイルが、同一の表現内容に対して色と階調の調整状態が異なり複数存在する場合に、それぞれの調整状態と対応する画像データファイルを参照可能にする位置情報を収めた管理用データファイルを持ち、像データの色と階調の表現内容を説明する情報を特定の符号により上記管理用データファイルに付すことを特徴とする。
【手続補正５】
【補正対象書類名】明細書
【補正対象項目名】００２３
【補正方法】削除
【補正の内容】
【手続補正６】
【補正対象書類名】明細書
【補正対象項目名】００２４
【補正方法】変更
【補正の内容】
【００２４】
本発明は、標準的色空間により符号化された画像データの色と階調の情報を再現するための情報として、上記画像データの色と階調の表現がどのような状態に調整されているかの状態を示す情報が特定の符号により付された上記画像データが供給される画像情報処理装置であって、上記画像データに上記特定の符号により付された情報を参照して、上記画像データに調整処理を施すことにより、上記画像データの色と階調の情報を再現する調整処理手段を備え、上記画像データの色と階調の表現内容を説明する情報が特定の符号により付された上記画像データが供給され、上記調整処理手段により、上記画像データに上記特定の符号により付された上記画像データの色と階調の表現内容を説明する情報に基づいて、上記画像データに調整処理を施すことを特徴とする。
【手続補正７】
【補正対象書類名】明細書
【補正対象項目名】００２５
【補正方法】削除
【補正の内容】
【手続補正８】
【補正対象書類名】明細書
【補正対象項目名】００３６
【補正方法】変更
【補正の内容】
【００３６】
本発明は、標準的色空間により符号化された画像データを収めたデータファイルが、同一の表現内容に対して色と階調の調整状態が異なり複数存在する場合に、それぞれの調整状態と対応する画像データファイルを参照可能にする位置情報を収めた管理用データファイルが供給される画像情報処理装置であって、上記管理用データファイルに納められた位置情報に基づいて画像データファイルを参照して、画像データに調整処理を施すことにより、上記画像データの色と階調の情報を再現する調整処理手段を備え、上記調整処理手段により、上記管理用データファイルに特定の符号により付された画像データの色と階調の表現内容を説明する情報に基づいて、上記画像データに調整処理を施すことを特徴とする。
【手続補正９】
【補正対象書類名】明細書
【補正対象項目名】００３８
【補正方法】削除
【補正の内容】